【手続補正書】
【提出日】平成16年12月9日(2004.12.9)
【手続補正１】
【補正対象書類名】明細書
【補正対象項目名】発明の名称
【補正方法】変更
【補正の内容】
【発明の名称】画像処理装置、画像処理方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】
第１の階調再現範囲を有する第１の出力手段で出力された対象画像を補正して、第２の階調再現範囲を有する第２の出力手段で当該補正後の対象画像を出力する画像処理装置であって、
少なくとも上記第２の出力手段による対象画像の出力結果を観察する環境に関する情報に基づいて、上記補正処理を対象画像に施す処理手段を備えることを特徴とする画像処理装置。
【請求項２】
上記観察環境情報を設定する設定手段を備えることを特徴とする請求項１に記載の画像処理装置。
【請求項３】
上記処理手段は、上記観察環境情報に基づいて、該当する出力階調再現曲線を用いた上記補正処理を実行することを特徴とする請求項１に記載の画像処理装置。
【請求項４】
上記処理手段は、上記第１の出力手段に関する情報及び上記第２の出力手段に関する情報に基づいて、上記補正処理を実行することを特徴とする請求項１に記載の画像処理装置。
【請求項５】
上記第１の出力手段は、表示手段を含むことを特徴とする請求項１に記載の画像処理装置。
【請求項６】
上記第２の出力手段は、印刷手段を含むことを特徴とする請求項１に記載の画像処理装置。
【請求項７】
上記観察環境情報は、上記第２の出力手段で対象画像を出力する目的情報、当該出力先の媒体種類情報、及び当該出力物を観察する際の照度情報の少なくとも何れかの情報を含むことを特徴とする請求項１に記載の画像処理装置。
【請求項８】
第１の階調再現範囲を有する第１の出力手段で出力された対象画像を補正して、第２の階調再現範囲を有する第２の出力手段で当該補正後の対象画像を出力するための画像処理方法であって、
少なくとも上記第２の出力手段による対象画像の出力結果を観察する環境に関する情報に基づいて、上記補正処理を対象画像に施す処理ステップを含むことを特徴とする画像処理方法。
【請求項９】
異なる階調再現範囲を有する第１の出力手段と第２の出力手段との間での階調変換処理を実行するための画像処理方法であって、
上記第２の出力手段による出力物を観察する環境を設定する設定ステップと、
上記設定ステップにより設定された観察環境情報に基づいて、上記階調変換処理で用いる出力階調再現曲線を取得する階調変換処理ステップとを含むことを特徴とする画像処理方法。
【請求項１０】
上記設定ステップは、ユーザが上記観察環境情報を設定するステップを含むことを特徴とする請求項９に記載の画像処理方法。
【請求項１１】
上記階調変換処理ステップは、
上記第１の出力手段に関する情報を設定するステップと、
上記第２の出力手段で使用する出力媒体情報を設定するステップと、
上記観察環境に応じた環境パラメータを設定するステップと、
上記第１の出力手段に関する情報、上記第２の出力手段で使用する出力媒体情報、及び上記環境パラメータに基づいて、上記出力階調再現曲線を取得するステップとを含むことを特徴とする請求項９に記載の画像処理方法。
【請求項１２】
上記第１の出力手段は、モニタを含み、
上記第１の出力手段に関する情報は、上記モニタの階調特性情報を含むことを特徴とする請求項１１に記載の画像処理方法。
【請求項１３】
ユーザが、上記第１の出力手段に関する情報を設定するステップを含むことを特徴とする請求項１１に記載の画像処理方法。
【請求項１４】
上記第１の出力手段に関する情報を、予め用意された情報の中から取得するステップを含むことを特徴とする請求項１１に記載の画像処理方法。
【請求項１５】
上記第２の出力手段は、プリンタを含み、
上記第２の出力手段で使用する出力媒体情報は、上記プリンタにおける用紙の種類情報を含むことを特徴とする請求項１１に記載の画像処理方法。
【請求項１６】
ユーザが、上記第２の出力手段で使用する出力媒体情報を設定するステップを含むことを特徴とする請求項１１に記載の画像処理方法。
【請求項１７】
請求項１〜７の何れか１項に記載の画像処理装置の機能をコンピュータに実現させるためのプログラムを記録したコンピュータ読み取り可能な記憶媒体。
【請求項１８】
請求項８〜１６の何れか１項に記載の画像処理方法の処理ステップをコンピュータに実行させるためのプログラムを記録したコンピュータ読み取り可能な記憶媒体。
【請求項１９】
請求項１〜７の何れか１項に記載の画像処理装置の機能をコンピュータに実現させるためのプログラム。
【請求項２０】
請求項８〜１６の何れか１項に記載の画像処理方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、例えば、モニタやプリンタで画像出力して画像観察等を行なうために、当該画像に対して階調変換処理を施す装置或いはシステムに用いられる、画像処理装置、画像処理方法、それを実施するためのプログラムを記憶したコンピュータ読み取り可能な記憶媒体、及び当該プログラムに関するものである。
【手続補正４】
【補正対象書類名】明細書
【補正対象項目名】０００８
【補正方法】変更
【補正の内容】
【０００８】
そこで、本発明は、上記の欠点を除去するために成されたもので、出力画像を観察する際に、その観察環境や、人間の視覚特性の変化に関わらず、常に良好な状態での画像観察を行なえる、画像処理装置、画像処理方法、それを実施するためのプログラムを記憶したコンピュータ読み取り可能な記憶媒体、及び当該プログラムを提供することを目的とする。
具体的には例えば、プリントでの印刷出力画像（出力画像）を観察する観察環境に応じて、プリント出力の階調再現特性を可変とする構成により、観察環境が異なったとしても、モニタで表示されている画像の階調特性を、プリントでの印刷出力画像で表現する。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
第８の発明は、第１の階調再現範囲を有する第１の出力手段で出力された対象画像を補正して、第２の階調再現範囲を有する第２の出力手段で当該補正後の対象画像を出力するための画像処理方法であって、少なくとも上記第２の出力手段による対象画像の出力結果を観察する環境に関する情報に基づいて、上記補正処理を対象画像に施す処理ステップを含むことを特徴とする。
【手続補正７】
【補正対象書類名】明細書
【補正対象項目名】００１８
【補正方法】変更
【補正の内容】
【００１８】
第９の発明は、異なる階調再現範囲を有する第１の出力手段と第２の出力手段との間での階調変換処理を実行するための画像処理方法であって、上記第２の出力手段による出力物を観察する環境を設定する設定ステップと、上記設定ステップにより設定された観察環境情報に基づいて、上記階調変換処理で用いる出力階調再現曲線を取得する階調変換処理ステップとを含むことを特徴とする。
【手続補正８】
【補正対象書類名】明細書
【補正対象項目名】００１９
【補正方法】変更
【補正の内容】
【００１９】
第１０の発明は、上記第９の発明において、上記設定ステップは、ユーザが上記観察環境情報を設定するステップを含むことを特徴とする。
【手続補正９】
【補正対象書類名】明細書
【補正対象項目名】００２０
【補正方法】変更
【補正の内容】
【００２０】
第１１の発明は、上記第９の発明において、上記階調変換処理ステップは、上記第１の出力手段に関する情報を設定するステップと、上記第２の出力手段で使用する出力媒体情報を設定するステップと、上記観察環境に応じた環境パラメータを設定するステップと、上記第１の出力手段に関する情報、上記第２の出力手段で使用する出力媒体情報、及び上記環境パラメータに基づいて、上記出力階調再現曲線を取得するステップとを含むことを特徴とする。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
第１２の発明は、上記第１１の発明において、上記第１の出力手段は、モニタを含み、上記第１の出力手段に関する情報は、上記モニタの階調特性情報を含むことを特徴とする。
【手続補正１２】
【補正対象書類名】明細書
【補正対象項目名】００２３
【補正方法】変更
【補正の内容】
【００２３】
第１３の発明は、上記第１１の発明において、ユーザが、上記第１の出力手段に関する情報を設定するステップを含むことを特徴とする。
【手続補正１３】
【補正対象書類名】明細書
【補正対象項目名】００２４
【補正方法】変更
【補正の内容】
【００２４】
第１４の発明は、上記第１１の発明において、上記第１の出力手段に関する情報を、予め用意された情報の中から取得するステップを含むことを特徴とする。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
第１５の発明は、上記第１１の発明において、上記第２の出力手段は、プリンタを含み、上記第２の出力手段で使用する出力媒体情報は、上記プリンタにおける用紙の種類情報を含むことを特徴とする。
【手続補正１６】
【補正対象書類名】明細書
【補正対象項目名】００２７
【補正方法】変更
【補正の内容】
【００２７】
第１６の発明は、上記第１１の発明において、ユーザが、上記第２の出力手段で使用する出力媒体情報を設定するステップを含むことを特徴とする。
【手続補正１７】
【補正対象書類名】明細書
【補正対象項目名】００２８
【補正方法】変更
【補正の内容】
【００２８】
第１７の発明は、上記第１〜第７の発明の何れかの画像処理装置の機能をコンピュータに実現させるためのプログラムをコンピュータ読み取り可能な記憶媒体に記録したことを特徴とする。
【手続補正１８】
【補正対象書類名】明細書
【補正対象項目名】００２９
【補正方法】変更
【補正の内容】
【００２９】
第１８の発明は、上記第８〜第１６の発明の何れかの画像処理方法の処理ステップをコンピュータに実行させるためのプログラムをコンピュータ読み取り可能な記憶媒体に記録したことを特徴とする。
【手続補正１９】
【補正対象書類名】明細書
【補正対象項目名】００３０
【補正方法】変更
【補正の内容】
【００３０】
第１９の発明は、上記第１〜第７の発明の何れかの画像処理装置の機能をコンピュータに実現させるためのプログラムであることを特徴とする。
【手続補正２０】
【補正対象書類名】明細書
【補正対象項目名】００３１
【補正方法】変更
【補正の内容】
【００３１】
第２０の発明は、上記第８〜第１９の発明の何れかの画像処理方法の処理ステップをコンピュータに実行させるためのプログラムであることを特徴とする。